(57)【要約】      （修正有）【課題】信頼性を向上し得るようにする。【解決手段】紙幣入出金機に、スロットに装着され金種に応じて紙幣を収納する紙幣カセットと、該紙幣カセットから紙幣を繰り出して金種を判別する制御部と、制御部により判別した紙幣の金種を記憶する記憶部とを設け、保守作業において、金種設定した金種とは異なる紙幣を該紙幣カセットに装填したり、前記スロットを間違えて該紙幣カセットを装着したりしてスロットに装着された紙幣が変化した場合であっても、設定された金種を正しく前記紙幣カセットから繰り出せるようにした。【選択図】図５
2015060290.tif 000002
【特許請求の範囲】
【請求項１】
スロットに装着され金種に応じて紙幣を収納する紙幣カセットと、
前記紙幣カセットから前記紙幣を繰り出して金種を判別する判別部と、
前記判別部により判別した前記紙幣の金種を記憶する記憶部と
を有する紙幣処理装置。
【請求項２】
前記紙幣カセットに収納された前記紙幣の金種が変化する可能性がある事象が発生したことを検出する金種変化検出部と、
前記紙幣カセットに収納された前記紙幣の金種が変化する可能性がある事象が発生したと前記金種変化検出部により検出された場合、紙幣の金種が不明確であると判定する判定部と、
をさらに有し、
前記判別部は、前記紙幣の金種が変化した可能性がある前記紙幣カセットから前記紙幣を繰り出して金種を判別する
請求項１に記載の紙幣処理装置。
【請求項３】
前記スロットは複数設けられ、複数の当該スロットに装着される前記紙幣カセットは、いずれも同一形状である
請求項２に記載の紙幣処理装置。
【請求項４】
前記記憶部は、前記紙幣カセット毎に付された固有の識別情報である紙幣カセットＩＤと、前記スロット毎に付された固有の識別情報である装着スロット位置情報と、金種を示す金種情報とを対応付けて記憶する
請求項３に記載の紙幣処理装置。
【請求項５】
前記金種変化検出部は、前記紙幣カセットから前記紙幣カセットＩＤを読み取り、読み取った前記紙幣カセットＩＤが前記記憶部に記憶された前記紙幣カセットＩＤと異なるか否かを検出し、
前記判定部は、読み取った前記紙幣カセットＩＤが前記記憶部に記憶された前記紙幣カセットＩＤと異なると前記金種変化検出部により検出された場合、紙幣の金種が不明確であると判定する
請求項４に記載の紙幣処理装置。
【請求項６】
前記金種変化検出部は、前記紙幣カセットに設けられ当該紙幣カセットに前記紙幣を装填する際に開放される紙幣カセット扉が開放されたか否かを検出し、
前記判定部は、前記紙幣カセット扉が開放されたと前記金種変化検出部により検出された場合、紙幣の金種が不明確であると判定する
請求項４に記載の紙幣処理装置。
【請求項７】
前記金種変化検出部は、脱着前に装着されていた前記スロットとは異なる前記スロットに前記紙幣カセットが再装着されたか否かを検出し、
前記記憶部は、前記紙幣カセット扉が開放されたと検出されておらず、脱着前に装着されていた前記スロットとは異なる前記スロットに前記紙幣カセットが再装着されたと前記金種変化検出部により検出された場合、前記装着スロット位置情報と再装着後の前記紙幣カセットＩＤとを対応付けて記憶する
請求項６に記載の紙幣処理装置。
【請求項８】
前記金種変化検出部は、前記紙幣カセットが前記スロットから脱着されたか否かを検出し、
前記判定部は、前記紙幣カセットが前記スロットから脱着されたと前記金種変化検出部により検出された場合、脱着された当該紙幣カセットに収納された紙幣の金種が不明確であると判定する
請求項３に記載の紙幣処理装置。
【請求項９】
前記金種変化検出部は、前記スロットが形成されたカセットトレイが前記紙幣処理装置の筐体から引き出されたか否かを検出し、
前記判定部は、前記カセットトレイが前記紙幣処理装置の筐体から引き出されたと前記金種変化検出部により検出された場合、紙幣の金種が不明確であると判定する
請求項３に記載の紙幣処理装置。
【請求項１０】
前記紙幣の金種を判別する鑑別部と、
前記紙幣を保留する保留部と
をさらに有し、
前記判別部は、前記紙幣カセットから繰り出した前記紙幣を前記鑑別部に搬送して金種を鑑別させて前記保留部に保留した後に当該保留部から前記紙幣カセットに搬送して収納させる
請求項３に記載の紙幣処理装置。
【発明の詳細な説明】
【技術分野】
【０００１】
本発明は、紙幣処理装置に関し、例えば紙幣等の媒体を投入して所望の取引を行う現金自動取引装置（ＡＴＭ：Automatic Teller Machine）に適用して好適なものである。
【背景技術】
【０００２】
従来、金融機関等で使用される現金自動取引装置等においては、顧客との取引内容に応じて、例えば顧客に紙幣や硬貨等の現金を入金させ、また顧客へ現金を出金するようになされている。
【０００３】
現金自動取引装置としては、例えば顧客との間で紙幣の授受を行う紙幣入出金部と、投入された紙幣の金種及び真偽を鑑別する鑑別部と、投入された紙幣を一時的に保留する一時保留部と、紙幣を搬送する搬送部と、金種ごとに紙幣を格納する紙幣カセットとを有するものがある。
【０００４】
また現金自動取引装置のなかには、収納カセットに対し紙幣を装填する保守作業時の効率を高めるべく、現金自動取引装置本体にスロットを設け、このスロットに対し収納カセットを着脱可能に構成したものも提案されている（例えば、特許文献１参照）。
【０００５】
このような現金自動取引装置においては、予め金種設定した情報に従い各紙幣カセットに正しい紙幣を装填し、正しいスロットに紙幣カセットを装着する必要がある。
【先行技術文献】
【特許文献】
【０００６】
【特許文献１】実公平６−３１５７１号公報
【発明の概要】
【発明が解決しようとする課題】
【０００７】
しかしながらこのような現金自動取引装置においては、保守作業時において、金種設定した金種とは異なる紙幣を紙幣カセットに装填してしまったり、紙幣カセットを装着するスロットを間違えてしまったりすると、設定された金種の紙幣が繰り出せず、信頼性が保てないおそれがあった。
【０００８】
本発明は以上の点を考慮してなされたもので、信頼性を向上し得る紙幣処理装置を提案しようとするものである。
【課題を解決するための手段】
【０００９】
かかる課題を解決するため本発明の紙幣処理装置においては、スロットに装着され金種に応じて紙幣を収納する紙幣カセットと、紙幣カセットから紙幣を繰り出して金種を判別する判別部と、判別部により判別した紙幣の金種を記憶する記憶部とを設けるようにした。
【００１０】
この紙幣処理装置は、スロットに装着された紙幣カセットに収納された紙幣の金種が変化した場合であっても、設定された金種を正しく紙幣カセットから繰り出すことができる。
【発明の効果】
【００１１】
本発明によれば、スロットに装着された紙幣カセットに収納された紙幣の金種が変化した場合であっても、設定された金種を正しく紙幣カセットから繰り出すことができる。かくして本発明は、信頼性を向上し得る紙幣処理装置を実現できる。
【図面の簡単な説明】
【００１２】
【図１】現金自動取引装置の構成における前面、左側面及び上面を示す斜視図である。
【図２】収納状態の紙幣入出金機の構成を示す左側面図である。
【図３】引出状態の紙幣入出金機の構成を示す左側面図である。
【図４】紙幣カセットＩＤ対応情報を示す図である。
【図５】第１の実施の形態による判定処理手順を示すフローチャートである。
【図６】判定処理における紙幣の経路（１）を示す左側面図である。
【図７】判定処理における紙幣の経路（２）を示す左側面図である。
【図８】入金処理における紙幣の経路を示す左側面図である。
【図９】収納処理における紙幣の経路を示す左側面図である。
【図１０】出金処理における紙幣の経路を示す左側面図である。
【図１１】第２の実施の形態による判定処理手順を示すフローチャートである。
【発明を実施するための形態】
【００１３】
以下、発明を実施するための形態（以下実施の形態とする）について、図面を用いて詳細に説明する。
【００１４】
［１．第１の実施の形態］
［１−１．現金自動取引装置の全体構成］
図１に外観を示すように、現金自動取引装置１は、箱状の筐体２を中心に構成されており、例えば金融機関等に設置され、顧客との間で入金取引や出金取引等の現金に関する取引を行うようになされている。
【００１５】
筐体２は、その前側に顧客が対峙した状態で紙幣の投入やタッチパネルによる操作等をしやすい箇所、すなわち前面の上部から上面に渡る部分が斜めに切り落とされたような形状となっており、この部分に接客部３が設けられている。
【００１６】
接客部３は、カード入出口４、入出金口５、操作表示部６、テンキー７及びレシート発行口８が設けられており、顧客との間で現金や通帳等を直接やり取りすると共に、取引に関する情報の通知や操作指示の受付を行うようになされている。
【００１７】
カード入出口４は、キャッシュカード等の各種カードが挿入又は排出される部分である。カード入出口４の奥側には、各種カードに磁気記録された口座番号等の読み取りを行うカード処理部（図示せず）が設けられている。
【００１８】
入出金口５は、顧客が入金する紙幣が投入されると共に、顧客へ出金する紙幣が排出される部分である。また入出金口５は、シャッタを駆動することにより開放又は閉塞するようになされている。因みに紙幣は、例えば長方形の紙で構成されている。
【００１９】
操作表示部６は、取引に際して操作画面を表示するＬＣＤ（Liquid Crystal Display）と、取引の種類の選択、暗証番号や取引金額等を入力するタッチパネルとが一体化されている。
【００２０】
テンキー７は、「０」〜「９」の数字等の入力を受け付ける物理キーであり、暗証番号や取引金額等の入力操作時に用いられるようになされている。
【００２１】
レシート発行口８は、取引処理の終了時に取引内容等を印字したレシートを発行する部分である。因みにレシート発行口８の奥側には、レシートに取引内容等を印字するレシート処理部（図示せず）が設けられている。
【００２２】
以下では、現金自動取引装置１のうち顧客が対峙する側を前側とし、その反対を後側とし、当該前側に対峙した顧客から見て左及び右をそれぞれ左側及び右側とし、さらに上側及び下側を定義して説明する。
【００２３】
筐体２は、前面を覆う前扉２Ａ及び後面を覆う後扉（図示せず）がそれぞれ開閉可能に構成されている。すなわち筐体２は、顧客との間で現金に関する取引を行う取引動作時には、前扉２Ａ等を閉塞することにより、内部に保有している紙幣や硬貨等を保護する。一方筐体２は、金融機関の職員等の保守作業者が紙幣の補充・回収等を行う保守作業時には、必要に応じて前扉２Ａ等を開放することにより、内部の各部に対する作業を容易に行わせ得るようになされている。
【００２４】
筐体２には、前扉２Ａの開閉状態を検知する前扉センサ２０が設けられており、現金自動取引装置１は、当該前扉センサ２０の検知結果に基づき、前扉２Ａの開閉状態を検出する。
【００２５】
また筐体２内には、現金自動取引装置１全体を統括制御する主制御部９や、紙幣に関する種々の処理を行う紙幣入出金機１０等が設けられている。
【００２６】
主制御部９は、図示しないＣＰＵ（Central Processing Unit）を中心に構成されており、図示しないＲＯＭ（Read Only Memory）やフラッシュメモリ等から所定のプログラムを読み出して実行することにより、入金取引や出金取引等の種々の処理を行うようになされている。
【００２７】
また主制御部９は、内部にＲＡＭ（Random Access Memory）、ハードディスクドライブやフラッシュメモリ等でなる記憶部を有しており、この記憶部に種々の情報を記憶させるようになされている。
【００２８】
［１−２．紙幣入出金機の構成］
紙幣入出金機１０は、図２に模式的な側面図を示すように、紙幣入出金機筐体１１の内部に紙幣の入金処理や出金処理に関する種々の機構が設けられている。紙幣入出金機１０の各部分は、制御部１２により制御されるようになされている。
【００２９】
制御部１２は、主制御部９と同様、図示しないＣＰＵを中心に構成されており、図示しないＲＯＭやフラッシュメモリ等から所定のプログラムを読み出して実行し、また主制御部９等の他の制御部と連携することにより、紙幣の入金処理や出金処理等、紙幣に関する種々の処理を制御するようになされている。
【００３０】
また制御部１２は、内部にＲＡＭ及びフラッシュメモリ等でなる記憶部１２Ａを有しており、この記憶部１２Ａに種々の情報を記憶させるようになされている。
【００３１】
例えば顧客が現金自動取引装置１との間で紙幣を入金する入金取引を行う場合、制御部１２は、主制御部９等と連携しながら、操作表示部６を介して所定の操作入力を受け付けた後、入出金口５のシャッタを開いて紙幣入出金部１３内へ紙幣を投入させる。
【００３２】
紙幣入出金部１３は、紙幣が投入されると、入出金口５のシャッタを閉じてから紙幣を１枚ずつ取り出し、搬送部１４へ受け渡す。搬送部１４は、紙幣を短辺方向に沿って進行させ、鑑別部１５へ搬送する。
【００３３】
鑑別部１５は、その内部で紙幣を搬送しながら当該紙幣の金種、真偽及び損傷の程度を鑑別しその鑑別結果を制御部１２へ通知する。これに応じて制御部１２は、取得した鑑別結果に基づいて当該紙幣の搬送先を決定する。
【００３４】
このとき搬送部１４は、鑑別部１５において正常と鑑別された紙幣（いわゆる正券）を一時保留部１６へ搬送する等して一時的に保留させる一方、取引すべきでないと鑑別された紙幣（いわゆる損券や偽券等）を紙幣入出金部１３へ搬送して顧客に返却する。
【００３５】
その後制御部１２は、操作表示部６（図１）を介して顧客に入金金額を確定させ、一時保留部１６に保留している紙幣を鑑別部１５へ搬送させてその金種、損傷の程度及び表裏方向等を鑑別させ、その鑑別結果を取得する。
【００３６】
そして制御部１２は、紙幣の損傷の程度が大きければ、これを再利用すべきでない紙幣としてリジェクト庫１７へ搬送して収納させ、損傷の程度が小さければ、これを再利用すべき紙幣として搬送部１４を介してカセットトレイ１８へ搬送させる。
【００３７】
カセットトレイ１８には、複数の紙幣カセット１９（１９ａ、１９ｂ、１９ｃ及び１９ｄ）が設けられている。カセットトレイ１８は、搬送されてきた紙幣をその金種に応じた紙幣カセット１９に振り分けて収納させる。
【００３８】
また、例えば顧客が現金自動取引装置１との間で紙幣を出金する出金取引を行う場合、制御部１２は、主制御部９等と連携しながら、操作表示部６を介して所定の操作入力を受け付けた後、出金すべき金額に応じた紙幣をカセットトレイ１８の紙幣カセット１９から繰り出させ、搬送部１４により鑑別部１５へ搬送して鑑別させる。
【００３９】
そして制御部１２は、出金紙幣として不適格と判定された紙幣をリジェクト庫１７へ搬送して収納させる一方、出金可能な紙幣を紙幣入出金部１３へ搬送し、入出金口５のシャッタを開いてこの紙幣を顧客に取り出させる。
【００４０】
ところで紙幣入出金機筐体１１は、内部に空間が形成されると共にその前側に当該空間と外部とを連通させる連通孔が形成されており、当該空間内にカセットトレイ１８を収納している。カセットトレイ１８はスライドレール２２を介して紙幣入出金機筐体１１に取り付けられている。
【００４１】
スライドレール２２は、前後方向に延長されたレール状の部品や複数のローラ等（図示せず）の組み合わせにより構成されており、紙幣入出金機筐体１１に対しカセットトレイ１８を前方向又は後方向へ直線的に且つ円滑に移動させるようになされている。
【００４２】
紙幣入出金機１０は、顧客との間で取引処理が行われる場合や保守作業が行われない場合、図２に示したようにカセットトレイ１８を紙幣入出金機筐体１１の内部に収納することにより、当該カセットトレイ１８内の各部や紙幣等を保護する。以下これをカセットトレイ収納状態と呼ぶ。
【００４３】
このカセットトレイ収納状態において、カセットトレイ１８は紙幣入出金機筐体１１に対し所定の収納位置に位置決めされる。
【００４４】
一方紙幣入出金機１０は、保守作業者により保守作業が行われる場合、図３に示すように前扉２Ａ（図示せず）を開きカセットトレイ１８を前方へ移動させて、当該カセットトレイ１８のほぼ全体を紙幣入出金機筐体１１の外部に引き出した状態とする。
【００４５】
以下では、紙幣入出金機筐体１１からカセットトレイ１８の全体が引き出されているか否かに関わらず、当該カセットトレイ１８が収納位置から前側に引き出された状態をカセットトレイ引出状態と呼ぶ。
【００４６】
ところで、カセットトレイ１８の後側面にはカセットトレイコネクタ２４が設けられている。また紙幣入出金機筐体１１の内側面においてカセットトレイコネクタ２４と対向する位置には、当該カセットトレイコネクタ２４と電気的且つ機械的に接続し得る紙幣入出金機筐体コネクタ２６が設けられている。
【００４７】
カセットトレイ収納状態においては、図２に示したようにカセットトレイコネクタ２４と紙幣入出金機筐体コネクタ２６とが接続され、これを制御部１２が検知することにより、当該制御部１２は、カセットトレイ１８が紙幣入出金機筐体１１に収納されたことを認識する。このとき制御部１２は、カセットトレイ１８に対し電源を供給することにより、当該カセットトレイ１８及び紙幣カセット１９を動作させる。
【００４８】
一方カセットトレイ引出状態においては、図３に示したように、紙幣入出金機筐体コネクタ２６からカセットトレイコネクタ２４が離脱し、これを制御部１２が検知することにより、当該制御部１２は、カセットトレイ１８が紙幣入出金機筐体１１から引き出されたことを認識する。このときカセットトレイ１８及び紙幣カセット１９は、紙幣入出金機１０からの電源の供給が遮断されるため、内蔵されたバッテリーにより動作する。
【００４９】
カセットトレイ１８には、４個のスロット２８（２８ａ、２８ｂ、２８及び２８ｄ）が前後方向に整列するよう配置されている。スロット２８ａ〜２８ｄは、いずれも同等の大きさでなり上下を長手方向とする直方体状に構成され、また中空に形成されると共に天板が省略されることにより、内部空間を上方へ向けて開放させた状態となっている。
【００５０】
紙幣カセット１９ａ、１９ｂ、１９ｃ及び１９ｄは、それぞれ当該スロット２８ａ、２８ｂ、２８ｃ及び２８ｄに対し着脱自在に装着されている。
【００５１】
全ての紙幣カセット１９ａ、１９ｂ、１９ｃ及び１９ｄは、同一形状に形成されており、全てのスロット２８ａ、２８ｂ、２８ｃ及び２８ｄの内部空間もまた同一形状に形成されているため、何れの紙幣カセット１９ａ、１９ｂ、１９ｃ及び１９ｄは何れのスロット２８ａ、２８ｂ、２８ｃ及び２８ｄへ装着されることも可能となっている。
【００５２】
紙幣カセット１９ａ〜１９ｄは、それぞれ図示しないカセット制御部及びカセット記憶部を有しており、当該カセット記憶部に、それぞれの紙幣カセット１９ａ〜１９ｄを識別する固有の紙幣カセットＩＤを記憶している。
【００５３】
紙幣カセット１９には、上面を覆う紙幣カセット扉３０が開閉可能に構成されている。保守作業者は、紙幣の装填作業等を行う保守作業時に紙幣カセット扉３０を開くことにより、紙幣カセット１９内部に紙幣を装填する一方、装填作業が完了すると紙幣カセット扉３０を閉じることにより、内部の紙幣を保護する。
【００５４】
紙幣カセット１９には、紙幣カセット扉３０の開閉状態を検知する紙幣カセット扉センサ３２が設けられており、紙幣カセット１９は、当該紙幣カセット扉センサ３２の検知結果に基づき、紙幣カセット扉３０の開閉状態を検出する。
【００５５】
紙幣カセット１９は、紙幣カセット扉３０が開かれたことを検知すると、当該紙幣カセット扉３０が開かれた履歴を示す扉開情報をカセット記憶部に記憶する。
【００５６】
紙幣カセット１９の下面には紙幣カセットコネクタ３４が設けられている。またスロット２８の内側面において紙幣カセットコネクタ３４と対向する位置には、当該紙幣カセットコネクタ３４と電気的且つ機械的に接続し得るスロットコネクタ３６が設けられている。
【００５７】
紙幣カセット１９がスロット２８から取り外された紙幣カセット脱着状態においては、スロットコネクタ３６からカセットコネクタ３４が脱着し、これをカセット制御部が検知することにより、当該カセット制御部は、紙幣カセット１９がスロット２８から外されたことを認識する。このときカセット制御部は、当該紙幣カセット１９がスロット２８から外された履歴を示すカセット脱着情報をカセット記憶部に記憶する。
【００５８】
一方紙幣カセット１９がスロット２８に装着された紙幣カセット装着状態においては、紙幣カセットコネクタ３４とスロットコネクタ３６とが接続される。この紙幣カセット装着状態においてカセットトレイ１８は、図示しないＩＤ読取部により、各スロット２８に装着された紙幣カセット１９から紙幣カセットＩＤを読み取ると共に、扉開情報及びカセット脱着情報を取得する。
【００５９】
かかる構成において紙幣装填作業を行う場合、保守作業者は、前扉２Ａを開きカセットトレイ１８を前方へ移動させてカセットトレイ引出状態とし、当該カセットトレイ１８から紙幣カセット１９を取り外して紙幣カセット脱着状態として紙幣カセット扉３０を開き、予め設定された金種設定に従い各紙幣カセット１９に紙幣を装填する。保守作業者は、紙幣カセット１９への紙幣の装填が完了した後、紙幣カセット扉３０を閉じ、各紙幣カセット１９をカセットトレイ１８のスロット２８に装着して紙幣カセット装着状態とし、カセットトレイ１８を後方へ移動させカセットトレイ収納状態として前扉２Ａを閉じる。
【００６０】
紙幣カセット装着状態においてカセットトレイ収納状態となると、制御部１２は、カセットトレイコネクタ２４及び紙幣入出金機筐体コネクタ２６を介し、カセットトレイ１８から紙幣カセットＩＤ、扉開情報及びカセット脱着情報を取得する。
【００６１】
ところで記憶部１２Ａ（図１）は、図４に示す紙幣カセットＩＤ対応情報Ｉ１を記憶している。紙幣カセットＩＤ対応情報Ｉ１は、「紙幣カセットＩＤ」と、「装着スロット位置情報」及び「金種情報」とが対応付けられている。「紙幣カセットＩＤ」は、紙幣カセット１９を識別する固有の識別情報である。「装着スロット位置情報」は、スロット２８毎に付された固有の識別情報であり、Ｐ１はスロット２８ａを、Ｐ２はスロット２８ｂを、Ｐ３はスロット２８ｃを、Ｐ４はスロット２８ｄをそれぞれ示している。「金種情報」は、紙幣カセット１９に収納されている紙幣の金種を示している。
【００６２】
すなわち、図４に示す状態の紙幣カセットＩＤ対応情報Ｉ１は、紙幣カセットＩＤとしてＣ１が付された紙幣カセット１９ａがスロット２８ａに装着され１００００円札が収納されており、紙幣カセットＩＤとしてＣ２が付された紙幣カセット１９ｂがスロット２８ｂに装着され１００００円札が収納されており、紙幣カセットＩＤとしてＣ３が付された紙幣カセット１９ｃがスロット２８ｃに装着され１０００円札が収納されており、紙幣カセットＩＤとしてＣ４が付された紙幣カセット１９ｄがスロット２８ｄに装着され１０００円札が収納されていることを示している。
【００６３】
制御部１２は、後述する判定処理を行うことにより、記憶部１２Ａに記憶された紙幣カセットＩＤ対応情報Ｉ１を最新の状態に更新する。
【００６４】
［１−３．判定処理手順］
紙幣入出金機１０において紙幣カセットＩＤ対応情報Ｉ１を最新の状態に更新する判定処理の具体的な処理手順について、図５のフローチャートを用いて説明する。
【００６５】
制御部１２は、記憶部１２Ａから判定処理プログラムを読み出して実行することにより判定処理手順ＲＴ１を開始し、ステップＳＰ１へ移る。
【００６６】
ステップＳＰ１において制御部１２は、スロット２８に装着されている紙幣カセット１９ａ〜１９ｄの紙幣カセットＩＤを取得し、保守作業前と変化した紙幣カセットＩＤが存在するか否かを判定する。ここで肯定結果が得られると、このことは保守作業前とは異なる紙幣カセットＩＤが付された紙幣カセット１９がスロット２８に装着されたため、紙幣の金種が変化した可能性があり金種が不確定であることを表し、このとき制御部１２はステップＳＰ３へ移る。
【００６７】
一方ステップＳＰ１において否定結果が得られると、制御部１２はステップＳＰ２へ移り、紙幣カセット１９ａ〜１９ｄの扉開情報を取得し、紙幣カセット扉３０が開かれた履歴があるか否かを判定する。ここで肯定結果が得られると、このことは紙幣カセットＩＤは変化していないものの紙幣カセット扉３０が開かれた履歴があるために紙幣の金種が変化した可能性があることを表し、このとき制御部１２はステップＳＰ３へ移る。
【００６８】
ステップＳＰ３において制御部１２は、金種チェック動作を行う。具体的に制御部１２は、装着スロット位置に対する紙幣カセットＩＤが変化した紙幣カセット１９か、又は紙幣カセット扉３０が開かれた履歴がある紙幣カセット１９（すなわち、収納している紙幣の金種が変化した可能性がある紙幣カセット１９）から図６に示すように紙幣を例えば１枚繰り出し、鑑別部１５に搬送して金種を判別する。
【００６９】
鑑別部１５において紙幣の金種を判別できた場合、制御部１２は当該紙幣を一時保留部１６へ搬送し保留する。
【００７０】
一方鑑別部１５において紙幣の金種を判別できなかった場合、制御部１２は当該紙幣をリジェクト庫１７へ搬送し収納する。このとき制御部１２は、先ほど紙幣を繰り出した紙幣カセット１９から紙幣をさらに１枚繰り出し、鑑別部１５に搬送して金種を判別する。制御部１２は、鑑別部１５において金種を判別できるまで、紙幣カセット１９から紙幣を繰り出して鑑別部１５に搬送し金種を判別する。
【００７１】
制御部１２は、収納している紙幣の金種が変化した可能性がある全ての紙幣カセット１９に対し上述した処理を行うことにより、全ての紙幣カセット１９に対し収納されている紙幣の金種を判定する。
【００７２】
制御部１２は、以上のような金種チェック動作を行うと、ステップＳＰ４へ移り、紙幣カセット１９の紙幣カセットＩＤ毎に、当該紙幣カセットＩＤが付された紙幣カセット１９に収納された紙幣の金種を記憶部１２Ａに記憶し、ステップＳＰ５へ移る。
【００７３】
ステップＳＰ５において制御部１２は、紙幣カセット１９の紙幣カセットＩＤ毎に、当該紙幣カセットＩＤが付された紙幣カセット１９が装着されているスロット２８の装着スロット位置を記憶部１２Ａに記憶する。
【００７４】
制御部１２は、ステップＳＰ４及びＳＰ５の処理を行うことにより、紙幣カセットＩＤ対応情報Ｉ１（図４）を最新の状態に更新し、ステップＳＰ７へ移り判定処理手順ＲＴ１を終了する。
【００７５】
このとき制御部１２は、図７に示すように、保留した紙幣を一時保留部１６から繰り出し鑑別部１５に搬送して金種を判別する。鑑別部１５において紙幣の金種を判別できた場合、制御部１２は、鑑別部１５において判別した金種を収納する紙幣カセット１９へ紙幣を搬送し収納する。一方鑑別部１５において紙幣の金種を判別できなかった場合、制御部１２は当該紙幣をリジェクト庫１７へ搬送し収納する。
【００７６】
一方ステップＳＰ２において否定結果が得られると、このとき制御部１２はステップＳＰ６へ移り、装着スロット位置が変化したか否かを判定する。
【００７７】
ここで肯定結果が得られると、このことは紙幣カセットＩＤは変化しておらず、紙幣カセット扉３０が開かれた履歴もないものの、装着スロット位置が変化した、すなわち収納された紙幣は変化していない紙幣カセット１９が、保守作業前とは異なるスロット２８に装着されたことを表し、制御部１２はステップＳＰ５へ移り、紙幣カセット１９の紙幣カセットＩＤ毎に、当該紙幣カセットＩＤが付された紙幣カセット１９が装着されているスロット２８の装着スロット位置を記憶部１２Ａに記憶し、ステップＳＰ７へ移り判定処理手順ＲＴ１を終了する。
【００７８】
一方ステップＳＰ６において否定結果が得られると、このことは紙幣カセットＩＤは変化しておらず、紙幣カセット扉３０が開かれた履歴もなく、装着スロット位置も変化していないため、紙幣カセットＩＤに対応する装着スロット位置及び金種が変化していないことを表し、このとき制御部１２はステップＳＰ７へ移り判定処理手順ＲＴ１を終了する。
【００７９】
紙幣入出金機１０は、紙幣カセットＩＤ対応情報Ｉ１に基づき、入出金取引を行う。
【００８０】
［１−４．紙幣の流れ］
［１−４−１．入金処理時の紙幣の流れ］
次に、紙幣入出金機１０における入金処理の動作について図８を用いて説明する。
【００８１】
紙幣入出金機１０は、顧客により現金自動取引装置１にキャッシュカード等が挿入され、操作表示部６を介して入金取引が選択されて暗証番号等が入力されると、入出金口５のシャッタを開くことにより利用者から紙幣を挿入される。
【００８２】
紙幣入出金機１０は、紙幣が挿入されたことを図示しないセンサにより検知すると、入出金口５のシャッタを閉じ、紙幣の大きさ及び挿入状態を図示しないセンサにより検出する。挿入状態が異常であるか、又はサイズが異常な紙幣が存在すると判定した場合、紙幣入出金機１０は、当該紙幣を顧客に返却する。一方挿入された紙幣が正常であると判定した場合、紙幣入出金機１０は、紙幣入出金部１３から紙幣を１枚ずつ分離して繰り出し鑑別部１５に搬送する。
【００８３】
鑑別部１５によって紙幣が入金受入可能な紙幣（すなわち正常紙幣）と判別された場合、紙幣入出金機１０は、当該正常紙幣を鑑別部１５から一時保留部１６へ搬送し収納する。このとき紙幣入出金機１０は、鑑別部１５によって鑑別された紙幣の金種をもとに、一時保留部１６内に収納した紙幣の計数を行う。
【００８４】
一方、鑑別部１５によって紙幣が入金受入不可能な紙幣（すなわち入金リジェクト紙幣）と判別された場合、紙幣入出金機１０は、当該入金リジェクト紙幣を鑑別部１５から紙幣入出金部１３へ搬送して集積する。続いて紙幣入出金機１０は、入出金口５のシャッタを開き入金リジェクト紙幣を顧客が受け取り可能な状態とする。
【００８５】
その後、顧客により紙幣入出金部１３から入金リジェクト紙幣が抜き取られると、センサにより紙幣の受け取りが検知され、紙幣入出金機１０は入出金口５のシャッタを閉じる。そして紙幣入出金機１０は再度入出金口５のシャッタを開き、紙幣の投入が可能な状態とする。
【００８６】
ここで、顧客により再度紙幣入出金部１３に紙幣が投入されると、センサにより紙幣の投入が検知され、紙幣入出金機１０は入出金口５のシャッタを閉じる。紙幣入出金機１０は、再度投入された紙幣の計数を上述した手順で行う。
【００８７】
この入金処理が完了すると、現金自動取引装置１は、操作表示部６に入金計数結果を表示して、顧客に対して入金計数結果の確認を行う。ここで、顧客により操作表示部６を介して入金取引の確定が指示入力されると、紙幣入出金機１０は、後述する収納処理を行う。
【００８８】
［１−４−２．収納処理時の紙幣の流れ］
次に、紙幣入出金機１０における収納処理の動作について図９を用いて説明する。この収納処理は、顧客により入金取引の確定が指示入力された後に行われる。
【００８９】
紙幣入出金機１０は、上述した入金処理で一時保留部１６に収納された紙幣を１枚ずつ分離して繰り出し鑑別部１５に搬送する。
【００９０】
鑑別部１５によって紙幣が収納可能な紙幣（すなわち正常紙幣）と判別された場合、紙幣入出金機１０は、当該正常紙幣を鑑別部１５からその金種に応じた紙幣カセット１９へと搬送し集積する。
【００９１】
一方、鑑別部１５によって紙幣が収納不適合な紙幣（すなわち収納リジェクト紙幣）と判別された場合、紙幣入出金機１０は、当該収納リジェクト紙幣を鑑別部１５からリジェクト庫１７へ搬送し集積する。
【００９２】
［１−４−３．出金処理時の紙幣の流れ］
次に、紙幣入出金機１０における出金処理の動作について図１０を用いて説明する。
【００９３】
紙幣入出金機１０は、顧客により現金自動取引装置１にキャッシュカード等が挿入され、操作表示部６を介して出金取引が選択されて暗証番号及び出金金額等が入力されると、要求金額に応じて必要な金種毎の紙幣枚数を認識し、この金種毎の紙幣枚数に応じて紙幣カセット１９（１９ａ〜１９ｄ）から紙幣を１枚ずつ繰り出して鑑別部１５に搬送する。
【００９４】
鑑別部１５によって紙幣が出金可能な紙幣（すなわち正常紙幣）と判別されると、紙幣入出金機１０は、当該正常紙幣を鑑別部１５から紙幣入出金部１３へ搬送して集積する。続いて紙幣入出金機１０は、入出金口５のシャッタを開き紙幣を顧客へ出金する。
【００９５】
一方、鑑別部１５によって紙幣が出金不可能な紙幣（すなわち出金リジェクト紙幣）と判別されると、紙幣入出金機１０は、当該出金リジェクト紙幣を鑑別部１５からリジェクト庫１７へ搬送し集積する。
【００９６】
［１−５．動作及び効果］
以上の構成において紙幣入出金機１０は、紙幣カセット１９に収納された紙幣の金種が変化する可能性がある事象が発生したと金種変化検出部としての制御部１２が検出した場合、金種が不明確であると判定部としての制御部１２が判定し、紙幣カセット１９から紙幣を繰り出して金種を判別するようにした。
【００９７】
これにより紙幣入出金機１０は、保守作業時において、金種設定した金種とは異なる紙幣を紙幣カセットに装填してしまったり、紙幣カセットを装着するスロットを間違えてしまったりして、スロット２８に装着された紙幣カセット１９に収納された紙幣の金種が変化した場合であっても、設定された金種を正しく紙幣カセット１９から繰り出すことができる。
【００９８】
ところで従来、装着スロット位置毎に固有の誤装着防止溝をスロットに設け、当該誤装着防止溝に対応した形状の誤装着防止突起を紙幣カセットに設けることにより、装着スロットとして予め設定されたスロット以外のスロットには紙幣カセットを装着できないようにすることにより、紙幣カセットの誤装着を防止するものがある。
【００９９】
しかしながらその場合、各紙幣カセットはスロット毎の専用紙幣カセットとなるため、保守作業時に交換される予備の紙幣カセットを全種類の紙幣カセットだけ用意する必要があり、取り扱いが煩雑であると共にコストが増加してしまっていた。
【０１００】
これに対し紙幣入出金機１０は、紙幣カセット１９に収納された紙幣の金種が変化する可能性がある事象が発生したと検出した場合、紙幣カセット１９から紙幣を繰り出して金種を判別するようにした。
【０１０１】
これにより紙幣入出金機１０は、スロット２８に装着する紙幣カセット１９を全て同一形状にすることができるため、コストを削減できると共に、保守作業時において効率的に紙幣カセットを取り扱うことができる。
【０１０２】
また紙幣入出金機１０は、誤装着防止溝をスロットに設けたり誤装着防止突起を紙幣カセットに設けたりすることなく、保守作業者が紙幣の装填作業においてどの紙幣カセットへどの金種の紙幣を装填するかを注意する必要がなくなるため、紙幣の装填作業を簡略化できる。
【０１０３】
以上の構成によれば、紙幣入出金機１０は、スロット２８に装着され金種に応じて紙幣を収納する紙幣カセット１９と、紙幣カセット１９から紙幣を繰り出して金種を判別する制御部１２と、制御部１２により判別した紙幣の金種を記憶する記憶部１２Ａとを設けるようにした。
【０１０４】
これにより紙幣入出金機１０は、スロット２８に装着された紙幣カセット１９に収納された紙幣の金種が変化した場合であっても、設定された金種を正しく紙幣カセット１９から繰り出すことができる。
【０１０５】
［２．第２の実施の形態］
図１に示す第２の実施の形態による現金自動取引装置１０１の紙幣入出金機１１０は、第１の実施の形態による現金自動取引装置１と比べて、制御部１１２が制御部１２と異なり、紙幣カセット扉センサ３２が削除されている（図示せず）ものの、それ以外は同様に構成されている。
【０１０６】
［２−１．判定処理手順］
紙幣入出金機１１０において紙幣カセットＩＤ対応情報Ｉ１を最新の状態に更新する判定処理の具体的な処理手順について、図１１のフローチャートを用いて説明する。
【０１０７】
制御部１１２は、記憶部１２Ａから判定処理プログラムを読み出して実行することにより判定処理手順ＲＴ２を開始し、ステップＳＰ１１へ移る。
【０１０８】
ステップＳＰ１１において制御部１１２は、スロット２８に装着されている紙幣カセット１９ａ〜１９ｄの紙幣カセットＩＤを取得し、保守作業前と変化した紙幣カセットＩＤが存在するか否かを判定する。ここで肯定結果が得られると、このことは保守作業前とは異なる紙幣カセットＩＤが付された紙幣カセット１９がスロット２８に装着されたため、紙幣の金種が変化した可能性があることを表し、このとき制御部１１２はステップＳＰ１３へ移る。
【０１０９】
一方ステップＳＰ１１において否定結果が得られると、制御部１１２はステップＳＰ１２へ移り、スロット２８に装着されている紙幣カセット１９ａ〜１９ｄのカセット脱着情報を取得し、スロット２８から紙幣カセット１９が脱着された履歴があるか否かを判定する。
【０１１０】
ここで肯定結果が得られると、このことは紙幣カセットＩＤは変化していないものの紙幣カセット１９がスロット２８から脱着された履歴があるために紙幣の金種が変化した可能性があることを表し、このとき制御部１１２はステップＳＰ１３へ移る。
【０１１１】
ステップＳＰ１３において制御部１１２は、ステップＳＰ３（図５）と同様の金種チェック動作を行う。
【０１１２】
続いて制御部１１２は、ステップＳＰ１４及びＳＰ１５においてステップＳＰ４及びＳＰ５と同様に紙幣カセットＩＤ対応情報Ｉ１（図４）を最新の状態に更新し、ステップＳＰ１６へ移り判定処理手順ＲＴ２を終了する。
【０１１３】
一方ステップＳＰ１２において否定結果が得られると、このことは紙幣カセットＩＤは変化しておらず、紙幣カセット１９がスロット２８から脱着された履歴もないため、紙幣カセットＩＤに対応する装着スロット位置及び金種が変化していないことを表し、このとき制御部１１２はステップＳＰ１６へ移り判定処理手順ＲＴ２を終了する。
【０１１４】
［２−２．動作及び効果］
以上の構成において紙幣入出金機１１０は、スロット２８から紙幣カセット１９が脱着された履歴がある場合、紙幣の金種が変化した可能性があると判断し、金種チェック動作を行うようにした。
【０１１５】
これにより紙幣入出金機１１０は、紙幣入出金機１０と比べて紙幣カセット扉センサ３２を削除することができ、構成を簡略化できる。
【０１１６】
その他第２の実施の形態による紙幣入出金機１１０は、第１の実施の形態による紙幣入出金機１０とほぼ同様の作用効果を奏し得る。
【０１１７】
［３．他の実施の形態］
なお上述した第２の実施の形態においては、スロット２８から紙幣カセット１９が脱着された履歴があるときに金種チェック動作を行う場合について述べた。本発明はこれに限らず、カセットトレイコネクタ２４と紙幣入出金機筐体コネクタ２６との接続状況に基づき、カセットトレイ１８が紙幣入出金機筐体１１から引き出された履歴がある場合や、前扉センサ２０の検知結果に基づき前扉２Ａが開かれた履歴がある場合や、紙幣カセット１９に収納された紙幣の容量が変化したことを所定のセンサにより検出した場合等において、金種チェックを行っても良い。要は、紙幣カセット１９に収納された紙幣の金種が変化する可能性がある事象が発生したことを検出した場合に金種チェックを行えば良い。
【０１１８】
また、スロット２８ａ〜２８ｄそれぞれに装着された紙幣カセット１９ａ〜１９ｄに収納された金種をスロット２８ａ〜２８ｄ毎に示す金種位置情報を、操作表示部６に表示して保守作業者に提示しても良い。
【０１１９】
その場合、紙幣の金種が変化した場合のみ金種位置情報を表示したり、金種が変化した紙幣カセット１９の表示を他の紙幣カセット１９よりも目立たせて表示したり、予め設定された金種設定と異なっているときのみ金種位置情報を表示したりしても良い。
【０１２０】
さらに上述した実施の形態においては、紙幣カセット１９から紙幣を１枚繰り出し鑑別部１５に搬送して金種を判別する場合について述べた。本発明はこれに限らず、紙幣カセット１９から紙幣を２枚以上、例えば５枚繰り出し鑑別部１５に搬送して金種を判別し、５枚の紙幣全てが同一の金種でなかった場合、当該紙幣カセット１９には、異なる金種の紙幣が混ざって収納されてしまっていると判断しても良い。
【０１２１】
さらに上述した実施の形態においては、金種チェック動作において、紙幣を一時保留部１６に一時保留する場合について述べた。本発明はこれに限らず、紙幣入出金部１３やリジェクト庫１７等に一時的に保留しても良い。
【０１２２】
さらに本発明は、上述した第１及び第２の実施の形態と、上述した他の実施の形態とに限定されるものではない。すなわち本発明は、上述した第１及び第２の実施の形態と上述した他の実施の形態の一部又は全部を任意に組み合わせた実施の形態や、一部を抽出した実施の形態にもその適用範囲が及ぶものである。
【０１２３】
さらに上述した実施の形態においては、媒体として紙幣について述べたが、本発明はこれに限らず、例えば商品券や金券、入場券等のような薄い紙状の媒体であれば良い。
【０１２４】
さらに上述した実施の形態においては、紙幣カセットとしての紙幣カセット１９と、判別部としての制御部１２及び１１２と、記憶部としての記憶部１２Ａとによって、紙幣処理装置としての紙幣入出金機１０及び１１０を構成する場合について述べた。
【０１２５】
本発明はこれに限らず、その他種々の構成でなる紙幣カセットと、判別部と、記憶部とによって、紙幣処理装置を構成するようにしても良い。
【産業上の利用可能性】
【０１２６】
本発明は、筐体に収納された状態で所定の処理を実行する一方、保守等の作業時に筐体から引き出されてその一部又は全部を露出させるような引出機構を有する種々の機器でも利用できる。
【符号の説明】
【０１２７】
１、１０１……現金自動取引装置、２……筐体、２Ａ……前扉、３……接客部、４……カード入出口、５……入出金口、６……操作表示部、７……テンキー、８……レシート発行口、９……主制御部、１０、１１０……紙幣入出金機、１１……紙幣入出金機筐体、１２……制御部、１３……紙幣入出金部、１４……搬送部、１５……鑑別部、１６……一時保留部、１７……リジェクト庫、１８……カセットトレイ、１９……紙幣カセット、２０……前扉センサ、２２……スライドレール、２４……カセットトレイコネクタ、２６……紙幣入出金機筐体コネクタ、２８……スロット、３０……紙幣カセット扉、３２……紙幣カセット扉センサ、３４……紙幣カセットコネクタ、３６……スロットコネクタ。
【図１】
2015060290.tif 000003
【図２】
2015060290.tif 000004
【図３】
2015060290.tif 000005
【図４】
2015060290.tif 000006
【図５】
2015060290.tif 000007
【図６】
2015060290.tif 000008
【図７】
2015060290.tif 000009
【図８】
2015060290.tif 000010
【図９】
2015060290.tif 000011
【図１０】
2015060290.tif 000012
【図１１】
2015060290.tif 000013